(57)【要約】【課題】恒温水槽内でスノコ上に容器が載置されている場合であっても、磁性攪拌子を容器内において回転できるようにするマグネチックスターラー用のスノコを提供する。【解決手段】マグネチックスターラー用スノコ１の天板２の裏面中央部から下方に延出する固定軸１０の上方及び下方に軸受１１がそれぞれ軸着されていて、軸受１１は円筒体１２に内嵌されていること、基台１３、１４は円筒体１２の上端及び下端に固着されていること、固定軸１０は両端が筒体１２より突出して基台１３、１４を貫通していること、及び基台１３の上面に磁石７が固着され、基台１４の下面に磁石８が固着されていて、モーター２４の駆動用磁石２５が回転することにより、回転磁石部４が回転し容器２７内の磁性攪拌子２８が回転する。【選択図】図２
2015136688.tif 000002
【特許請求の範囲】
【請求項１】
複数の孔が穿設された天板と、当該天板の裏面から下方に延出する複数の脚部とから構成される、マグネチックスターラーの恒温水槽内で利用するマグネチックスターラー用スノコにおいて、
前記天板の裏面中央部には、下方に延出する軸を備え、当該軸の上端及び下端の軸線周りに回転可能な磁石をそれぞれ設けたこと、
を特徴とするマグネチックスターラー用スノコ。
【請求項２】
前記軸には、板状の基台が上方及び下方に貫通してそれぞれ設けられていて、前記軸の上端軸線周りに回転する磁石は、前記上方の基台の上に設置されていて、前記軸の下端軸線周りに回転する磁石は、前記下方の基台の下に設置されていること、
を特徴とする請求項１に記載のマグネチックスターラー用スノコ。
【請求項３】
前記各磁石は前記各基台の端部にそれぞれ設けられていること、
を特徴とする請求項１又は２に記載のマグネチックスターラー用スノコ。
【請求項４】
前記各磁石は円形であること、
を特徴とする請求項１から３までのいずれか1項に記載のマグネチックスターラー用スノコ。
【請求項５】
前記各磁石はサマリウムコバルト磁石であること、
を特徴とする請求項１から４までのいずれか１項に記載のマグネチックスターラー用スノコ。
【請求項６】
前記軸は前記天板に固定されていて、当該軸上には上方及び下方に軸受が軸着されていて、当該軸受は円筒体に内嵌されていること、及び前記各基台は当該円筒体の上端及び下端に固着されていること、
を特徴とする請求項１から５までのいずれか１項に記載のマグネチックスターラー用スノコ。
【請求項７】
前記各軸受はオイルレスベアリングであること、
を特徴とする請求項１から６までのいずれか１項に記載のマグネチックスターラー用スノコ。
【請求項８】
前記天板には、中心方向から円周方向に向かって等間隔に前記脚部と同数の切り欠きが形成されていて、螺子を当該切り欠き上方から挿通し前記脚部の頭部に螺着することにより前記脚部を前記天板の任意の位置に固定可能にしたこと、
を特徴とする請求項１から７までのいずれか１項に記載のマグネチックスターラー用スノコ。
【請求項９】
前記上方の基台は、両端部が突出して下方に向かって屈曲しており、前記下方の基台は両端部が突出して上方に向かって屈曲していること、
を特徴とする請求項２から８までのいずれか１項に記載のマグネチックスターラー用スノコ。
【請求項１０】
前記各基台は、両端部が長手方向軸線に対して直交する方向に突出していること、
を特徴とする請求項２から９までのいずれか１項に記載のマグネチックスターラー用スノコ。
【請求項１１】
前記各基台は、各両端部が互い違いに逆方向に突出していること、
を特徴とする請求項２から１０までのいずれか１項に記載のマグネチックスターラー用スノコ。
【請求項１２】
前記下方の基台は、前記上方の基台よりも長手方向長さが長く、前記下方の基台に形成された羽根が前記上方の基台に形成された羽根よりも外側に配設されていること、
を特徴とする請求項２から１１までのいずれか１項に記載のマグネチックスターラー用スノコ。
【請求項１３】
前記上方の基台に設置された磁石は、それぞれの端部に２個ずつ重ねて設けられていること、
を特徴とする請求項２から１２までのいずれか１項に記載のマグネチックスターラー用スノコ。
【発明の詳細な説明】
【技術分野】
【０００１】
本発明は、マグネチックスターラーの恒温水槽に使用するスノコに関する。
【背景技術】
【０００２】
恒温水槽内の水を攪拌して水温を均一化し、該水槽に入れた容器内の試料の温度を調整する装置として、特許文献１の図５及び特許文献２の図５にあるように、恒温水槽内に配置された磁性攪拌子を回転させて攪拌を行うマグネチックスターラーが一般的に知られている。
【先行技術文献】
【特許文献】
【０００３】
【特許文献１】特開平３−２３２５２４
【特許文献２】特開２００８−６２２０９
【０００４】
前記磁性攪拌子は、棒状の磁石をプラスチックで被覆したものであり、前記恒温水槽の下に設けられた、モーターに取り付けられた駆動用磁石の回転により回転する。
【０００５】
本願の図５に示すように、マグネチックスターラー３０においては、恒温水槽３１内にスノコ３２を入れ、試料３３入りの容器３４をその上に置いて適切な高さに保つことが行われている。
【０００６】
この場合、磁性攪拌子３５は、恒温水槽底部３６上にあり、該底部３６の下に設置されたモーター３７の駆動により回転する駆動用磁石３８によって回転し、ヒーター３９によって温度調整された恒温水槽３１内の水または温水を攪拌することで、恒温水槽内の水温を均一化する。
【０００７】
しかしながら、容器３４はスノコ３２上にあり距離があるため、磁力が届かず、容器３４内に磁性攪拌子３５を入れて駆動用磁石３８により回転させることは不可能である。
【０００８】
従って、スノコ３２上にある容器３４内の試料３３の温度をすぐに均一にするためには、特許文献１の図１から４にあるように、容器の上方から攪拌用のブレードを容器内に入れ、他の駆動装置で動作させるか、人間が手動でかき混ぜる必要があった。
【０００９】
しかしながら、他の駆動装置を利用して上記ブレードを動作させる場合には、当該駆動装置を含めたマグネチックスターラーの重量が大幅に増す他、大型化し、製造コストも嵩んでしまうという問題点があった。
【００１０】
また、試料３３によってはブレードの材質に不適当なものがあり、ブレードの材質も一律にはできない。さらに、液体と固体を混ぜる場合には、ブレードで固体を切ってしまい、個体の組織を分解してしまうおそれがある。さらにまた、容器の口が細いときは、ブレードで混ぜるには困難な場合がある。
【００１１】
また、マグネチックスターラーのメーカーによっては、恒温水槽３６内のヒーター３９の位置が異なるため、使用するマグネチックスターラーによって、そのヒーターの位置に合うスノコを用いなければならず、コストや保管場所等が嵩張り不便であった。
【発明の概要】
【発明が解決しようとする課題】
【００１２】
本発明は、上記課題を解決するためになされたものであって、恒温水槽内でスノコ上に容器が載置されている場合であっても、磁性攪拌子を前記容器内において回転できるようにするマグネチックスターラー用のスノコを提供することにある。
【００１３】
また、スノコの脚部の位置を移動可能なものにすることによって、恒温水槽のヒーターの位置が異なっても使用可能なマグネチックスターラー用のスノコを提供することにある。
【００１４】
さらに、容器内の試料及び恒温水槽内の水または温水を同時に効率よく攪拌することにより、試料の温度の均一化を短時間で可能にするマグネチックスターラー用スノコを提供することにある。
【課題を解決するための手段】
【００１５】
上記目的を達成するため、本発明に係るマグネチックスターラー用スノコの第１の特徴は、複数の孔が穿設された天板と、当該天板の裏面から下方に延出する複数の脚部とから構成される、マグネチックスターラーの恒温水槽内で利用するマグネチックスターラー用スノコにおいて、前記天板の裏面中央部には、下方に延出する軸を備え、当該軸の上端及び下端の軸線周りに回転可能な磁石をそれぞれ設けたことにある。
【００１６】
また、本発明に係るマグネチックスターラー用スノコの第２の特徴は、前記第１の特徴における前記軸に板状の基台が上方及び下方に貫通してそれぞれ設けられていて、前記軸の上端軸線周りに回転する磁石は、前記上方の基台の上に設置されていて、前記軸の下端軸線周りに回転する磁石は、前記下方の基台の下に設置されていることにある。
【００１７】
さらに、本発明に係るマグネチックスターラー用スノコの第３の特徴は、前記第１又は第２の特徴における前記各磁石が前記各基台の端部にそれぞれ設けられていることにある。
【００１８】
さらにまた、本発明に係るマグネチックスターラー用スノコの第４の特徴は、前記第１から第３の特徴のいずれか１における前記各磁石が円形であることにある。
【００１９】
また、本発明に係るマグネチックスターラー用スノコの第５の特徴は、前記第１から第４のいずれか１の特徴における前記各磁石がサマリウムコバルト磁石であることにある。
【００２０】
さらに、本発明に係るマグネチックスターラー用スノコの第６の特徴は、前記第１から第５のいずれか１の特徴における前記軸が固定されていて、当該軸上には上方及び下方に軸受が軸着されていて、当該軸受は円筒体に内嵌されていること、及び前記各基台は当該円筒体の上端及び下端に固着されていることにある。
【００２１】
さらにまた、本発明に係るマグネチックスターラー用スノコの第７の特徴は、前記第１から第６のいずれか１の特徴における前記各軸受がオイルレスベアリングであることにある。
【００２２】
また、本発明に係るマグネチックスターラー用スノコの第８の特徴は、前記第１から第７のいずれか１の特徴における前記天板に、中心方向から円周方向に向かって等間隔に前記脚部と同数の切り欠きが形成されていて、螺子を当該切り欠き上方から挿通し前記脚部の頭部に螺着することにより前記脚部を前記天板の任意の位置に固定可能にしたことにある。
【００２３】
さらに、本発明に係るマグネチックスターラー用スノコの第９の特徴は、前記第２から第８のいずれか１の特徴における前記上方の基台の両端部が突出して下方に向かって屈曲しており、前記下方の基台の両端部が突出して上方に向かって屈曲していることにある。
【００２４】
さらにまた、本発明に係るマグネチックスターラー用スノコの第１０の特徴は、前記第２から第９のいずれか１の特徴における前記各基台の両端部が長手方向軸線に対して直交する方向に突出していることにある。
【００２５】
また、本発明に係るマグネチックスターラー用スノコの第１１の特徴は、前記第２から第１０のいずれか１の特徴における前記各基台の各両端部が互い違いに逆方向に突出していることにある。
【００２６】
さらに、また、本発明に係るマグネチックスターラー用スノコの第１２の特徴は、前記第２から第１１のいずれか１の特徴における前記下方の基台が、前記上方の基台よりも長手方向長さが長く形成されていて、前記下方の基台に形成された羽根が前記上方の基台に形成された羽根よりも外側に配設されていることにある。
【００２７】
さらにまた、本発明に係るマグネチックスターラー用スノコの第１３の特徴は、前記第２から第１２のいずれか１の特徴における前記上方の基台に設置された磁石が、それぞれの端部に２個ずつ重ねて設けられていることにある。
【発明の効果】
【００２８】
本発明によれば、マグネチックステーラー本体以外の装置を必要とすることなく、容器内の試料の攪拌が可能となるため、装置全体を小型化・軽量化することができ、移動も容易となるとともに、安価なコストで製造することが可能となる。
【００２９】
また、恒温水槽のヒーターの位置に合わせてスノコの脚部の位置を調整できるので、一つのスノコで異なるメーカーのマグネチックスターラーに対応することが可能となり、余分なコストや保管場所等を削減することができる。
【００３０】
さらにまた、基台に設けた羽根により、恒温水槽内の水または温水の攪拌が十分に行われるとともに、容器内の試料と恒温水槽内の水または温水双方の攪拌を同時に行うことにより、試料の温度の均一化をより一層効率的なものとすることが可能となる。
【図面の簡単な説明】
【００３１】
【図１】本願発明に係るマグネチックスターラー用スノコの第１の実施例における平面図である。
【図２】図１のＡ−Ａ線の正面断面図である。
【図３】本願発明に係るマグネチックスターラー用スノコの正面図である。
【図４】上記スノコを利用している状態を示すマグネチックステーラーの断面図である。
【図５】従来のスノコを利用している状態を示すマグネチックステーラーの断面図である。
【図６】本願発明に係るマグネチックスターラー用スノコの第２の実施例における平面図である。
【図７】第２の実施例におけるマグネチックスターラー用スノコの正面図である。
【図８】第２の実施例におけるマグネチックスターラー用スノコの右側面図である。
【発明を実施するための最良の形態】
【００３２】
以下、本発明の実施形態につき、図面を参照して詳細に説明する。
【実施例１】
【００３３】
図１から４は本発明の第１の実施例を示したもので、このうち図１から３は第１の実施例のマグネチックスターラー用スノコの全体概略図である。
【００３４】
図中１は、ステンレスで形成されたマグネチックスターラー用スノコで、天板２、脚部３及び回転磁石部４とから大略構成されている。
【００３５】
天板２は、円形のプレートで、水の中へ沈めやすくするため、円形の孔５が複数穿設されている。また、天板２の裏面四隅には、複数の円柱状の脚部３が螺子６を介して接続されている。図示の例では、４つの脚部３が設けられている。
【００３６】
また、天板２の裏面中央部には、回転磁石部４が回転可能に取り付けられている。当該回転磁石部４は、磁石７及び８を備え、それらを回転させるための部材である。
【００３７】
回転磁石部４は、天板裏面中央部に螺子９を介して固定される固定軸１０と、当該固定軸１０に軸着された一対の軸受１１と、当該軸受１１が内嵌され、かつ前記固定軸１０が遊挿される円筒体１２と、当該円筒体１２の上端及び下端に固着された板状の基台１３及び１４と、当該基台１３及び１４に固着された磁石７及び８から構成されている。
【００３８】
固定軸１０は脚部３より短く、天板２の裏面中央部に下方に向かって固着されている。なお、回転磁石部４の長手方向の長さも脚部３より短く、スノコ１の下方内部に納まるように形成されている。
【００３９】
固定軸１０の上方及び下方には、軸受１１がそれぞれ軸着されている。軸受１１は、それらが内嵌される円筒体１２を回転させるためのものであり、フランジ１７と筒体１８とから構成されている。筒体１８にはベアリングが内装されている。
【００４０】
基台１３及び１４の中央部には、孔がそれぞれ穿設されており、軸受１１の筒体１８が基台１３の上及び基台１４の下から前記孔に嵌挿され、フランジ１７が基台１３の上及び基台１４の下で係止されている。なお、軸受１１にはオイルレスベアリングが好適である。
【００４１】
円筒体１２の上端に固着された基台１３の上面には、その両端に磁石７が固着されている。また、円筒体１２の下端に固着された基台１４の下面には、その両端に磁石８が固着されている。
【００４２】
磁石７、８は、中央部に円孔が穿設された円形で、ビス１５、１６を介して基台１３、１４にそれぞれ固着されている。磁石７、８は、一方をＮ極、他方をＳ極となるよう配設する。また、磁石７、８は、磁力が強力なものが望ましく、例えばサマリウムコバルト磁石が好適である。なお、図示の例では、磁石７はそれぞれ二重に重ねてあるが、磁力や高さが調整できればその数や形状等は問わない。
【００４３】
固定軸１０の上端及び下端は、円筒体１２から突出しているとともに、基台１３及び１４を貫通している。
【００４４】
次に、図４を用いてスノコ１の動作について説明する。図４において、スノコ１は、マグネチックスターラー２０の恒温水槽２１内に設置されており、恒温水槽２１内にはヒーター２２により適度な温度に調整された水又は温水が貯留されている。
【００４５】
スノコ１の天板２上には、試料２６の入った容器２７が載置されており、容器２７の底部には磁性攪拌子２８が配置されている。磁性攪拌子２８のＮ極は磁石７のＳ極と対向しており、磁性攪拌子２８のＳ極は磁石７のＮ極と対向している。
【００４６】
恒温水槽底部２３の下には、モーター２４が設置されており、モーター２４の駆動軸の先端には一対の駆動用磁石２５が取り付けられている。駆動用磁石２５のＮ極は、磁石８のＳ極に対向しており、駆動用磁石２５のＳ極は、磁石８のＮ極に対向している。
【００４７】
モーター２４により駆動用磁石２５が回転すると、磁石８の周囲に回転磁界が形成され、回転磁石部４が回転する。それにより磁石７が回転し、磁性攪拌子２８の周囲に回転磁界が形成される。磁性攪拌子２８は磁界の回転方向に回転し、これにより容器２７内の試料２６の攪拌が行われ、容器内の温度の短時間での均一化が可能となる。
【実施例２】
【００４８】
次に、図６から図８は、本発明の第２の実施例を示したものである。
第２の実施例は、第１の実施例のうち、恒温水槽２１のヒーター２２の位置に合わせて脚部３を移動できるようにし、また、回転磁石部４に羽根４２、４３、４４、４５を設けて恒温水槽２１内の水または温水を攪拌しやすくするものである。
【００４９】
すなわち、天板２には中心方向から円周方向に向かって等間隔に脚部３と同数である４箇所の切り欠き４１が形成されている。切り欠き４１の幅は、螺子６の螺子部分が貫通し、かつ螺子６の頭部より小さく形成されている。従って、脚部３を切り欠き４１に沿って適切な位置に配置した後、天板２の上方より螺子６を脚部３の頭部螺合部に螺着することにより、脚部３は天板２に固定される。これにより、ヒーター２２の位置が異なる様々な恒温水槽２１を有するマグネチックスターラーにスノコ１を使用することが可能となる。
【００５０】
また、羽根４２、４３は、基台１３の両端部がそれぞれ逆方向へ互い違いに長手方向軸線に対して直交する方向に突出し、下方へ向かって屈曲したものである。図示の例（図６、図７）では、左側の羽根４２が基台１３から前方へ突出して下方に屈曲しており、右側の羽根４３が基台１３から後方へ突出して下方に屈曲している。
【００５１】
また、羽根４４、４５は、基台１４の両端部がそれぞれ互い違いに長手方向軸線に対して直交する方向に突出し、上方へ向かって屈曲したものである。図示の例（図６、図７）では、左側の羽根４４が基台１４から後方へ突出して上方に屈曲しており、右側の羽根４５が基台１４から前方へ突出して上方に屈曲している。
【００５２】
図示の例では、基台１４は基台１３より長手方向の長さが長く、横長に形成されていて、羽根４４、４５は、羽根４２、４３より外側に配設されるようになっている。
【００５３】
上記のような構成により、回転磁石部４が回転すると、羽根４２、４３、４４、４５により恒温水槽２１内の水または温水が広範囲に旋回し、攪拌がよく行き渡る。これにより、恒温水槽２１内の水または温水の均一化を短時間に行うことができる。
【００５４】
また、容器２７内の試料２６と恒温水槽２１内の水または温水双方の攪拌を同時に行うことができるため、容器２７の内外で温度の均一化が短時間で図られ、試料の温度の均一化をより一層効率的にすることが可能となる。
【００５５】
以上、本発明の実施例につき図面を参照して詳細に説明したが、本発明はこれに限定されず、特許請求の範囲に記載した構成の範囲内において様々な態様で実施することができる。
【産業上の利用可能性】
【００５６】
本実施例においては、恒温水槽が一体化したマグネチックスターラーで利用する場合について説明したが、本発明はこれに限らず、水槽が別体となっているマグネチックスターラーにも利用が可能である。
【符号の説明】
【００５７】
１          マグネチックスターラー用スノコ
２          天板
４          回転部
７、８      磁石
１０          固定軸
１１          軸受
１２          円筒体
１３、１４    基台
２０          マグネチックスターラー
２１          恒温水槽
２５          回転磁石
２８          磁性攪拌子
４１          切り欠き
４２、４３、４４、４５    羽根
【図１】
2015136688.tif 000003
【図２】
2015136688.tif 000004
【図３】
2015136688.tif 000005
【図４】
2015136688.tif 000006
【図５】
2015136688.tif 000007
【図６】
2015136688.tif 000008
【図７】
2015136688.tif 000009
【図８】
2015136688.tif 000010
【手続補正書】
【提出日】平成27年5月30日(2015.5.30)
【手続補正１】
【補正対象書類名】特許請求の範囲
【補正対象項目名】全文
【補正方法】変更
【補正の内容】
【特許請求の範囲】
【請求項１】
マグネチックスターラーの恒温水槽内に設置される、複数の孔が穿設された天板と、当該天板の裏面から下方に延出する複数の脚部とから構成されるマグネチックスターラー用スノコであって、当該天板上に試料及び磁性攪拌子を入れた容器を載置して利用するマグネチックスターラー用スノコにおいて、
前記天板の裏面中央部には、下方に延出する固定の軸と、当該軸上に軸着された軸受を内嵌して回転可能に取り付けられた円筒体とを備え、当該円筒体の上端及び下端には、板状の基台が前記固定軸に貫通してそれぞれ固着され、前記上端の基台の上面及び前記下端の基台の下面には、当該各基台左右の端部に磁石がそれぞれ設置されていて、前記恒温水槽内において前記各基台が前記各磁石とともに前記固定軸の軸線周りに回転可能に構成されており、前記各磁石が回転することにより前記容器内の磁性攪拌子が回転して試料を攪拌すると同時に、前記各基台が回転することにより恒温水槽内の水又は温水を攪拌可能としたこと、
を特徴とするマグネチックスターラー用スノコ。
【請求項２】
前記各磁石は円形であること、
を特徴とする請求項１に記載のマグネチックスターラー用スノコ。
【請求項３】
前記各磁石はサマリウムコバルト磁石であること、
を特徴とする請求項１又は２に記載のマグネチックスターラー用スノコ。
【請求項４】
前記各軸受はオイルレスベアリングであること、
を特徴とする請求項１から３までのいずれか１項に記載のマグネチックスターラー用スノコ。
【請求項５】
前記天板には、中心方向から円周方向に向かって等間隔に前記脚部と同数の切り欠きが形成されていて、螺子を当該切り欠き上方から挿通し前記脚部の頭部に螺着することにより前記脚部を前記天板の任意の位置に固定可能にしたこと、
を特徴とする請求項１から４までのいずれか１項に記載のマグネチックスターラー用スノコ。
【請求項６】
前記上端の基台は、両端部が突出して下方に向かって屈曲する羽根を形成し、前記下端の基台は両端部が突出して上方に向かって屈曲する羽根を形成していること、
を特徴とする請求項１から５までのいずれか１項に記載のマグネチックスターラー用スノコ。
【請求項７】
前記各羽根は、前記各基台の長手方向軸線に対して直交する方向に突出していること、
を特徴とする請求項６に記載のマグネチックスターラー用スノコ。
【請求項８】
前記各羽根は、互い違いに逆方向に突出していること、
を特徴とする請求項６又は７に記載のマグネチックスターラー用スノコ。
【請求項９】
前記下端の基台は、前記上端の基台よりも長手方向長さが長く、前記下端の基台に形成された羽根が前記上端の基台に形成された羽根よりも長手方向外側に配設されていること、
を特徴とする請求項６から８までのいずれか１項に記載のマグネチックスターラー用スノコ。
【請求項１０】
前記上端の基台に設置された磁石は、それぞれ２個ずつ重ねて設けられていること、
を特徴とする請求項１から９までのいずれか１項に記載のマグネチックスターラー用スノコ。
【手続補正２】
【補正対象書類名】明細書
【補正対象項目名】全文
【補正方法】変更
【補正の内容】
【発明の詳細な説明】
【技術分野】
【０００１】
本発明は、マグネチックスターラーの恒温水槽に使用するスノコに関する。
【背景技術】
【０００２】
恒温水槽内の水を攪拌して水温を均一化し、該水槽に入れた容器内の試料の温度を調整する装置として、特許文献１の図５及び特許文献２の図５にあるように、恒温水槽内に配置された磁性攪拌子を回転させて攪拌を行うマグネチックスターラーが一般的に知られている。
【先行技術文献】
【特許文献】
【０００３】
【特許文献１】特開平３−２３２５２４
【特許文献２】特開２００８−６２２０９
【０００４】
前記磁性攪拌子は、棒状の磁石をプラスチックで被覆したものであり、前記恒温水槽の下に設けられた、モーターに取り付けられた駆動用磁石の回転により回転する。
【０００５】
本願の図５に示すように、マグネチックスターラー３０においては、恒温水槽３１内にスノコ３２を入れ、試料３３入りの容器３４をその上に置いて適切な高さに保つことが行われている。
【０００６】
この場合、磁性攪拌子３５は、恒温水槽底部３６上にあり、該底部３６の下に設置されたモーター３７の駆動により回転する駆動用磁石３８によって回転し、ヒーター３９によって温度調整された恒温水槽３１内の水または温水を攪拌することで、恒温水槽内の水温を均一化する。
【０００７】
しかしながら、容器３４はスノコ３２上にあり距離があるため、磁力が届かず、容器３４内に磁性攪拌子３５を入れて駆動用磁石３８により回転させることは不可能である。
【０００８】
従って、スノコ３２上にある容器３４内の試料３３の温度をすぐに均一にするためには、特許文献１の図１から４にあるように、容器の上方から攪拌用のブレードを容器内に入れ、他の駆動装置で動作させるか、人間が手動でかき混ぜる必要があった。
【０００９】
しかしながら、他の駆動装置を利用して上記ブレードを動作させる場合には、当該駆動装置を含めたマグネチックスターラーの重量が大幅に増す他、大型化し、製造コストも嵩んでしまうという問題点があった。
【００１０】
また、試料３３によってはブレードの材質に不適当なものがあり、ブレードの材質も一律にはできない。さらに、液体と固体を混ぜる場合には、ブレードで固体を切ってしまい、個体の組織を分解してしまうおそれがある。さらにまた、容器の口が細いときは、ブレードで混ぜるには困難な場合がある。
【００１１】
また、マグネチックスターラーのメーカーによっては、恒温水槽３６内のヒーター３９の位置が異なるため、使用するマグネチックスターラーによって、そのヒーターの位置に合うスノコを用いなければならず、コストや保管場所等が嵩張り不便であった。
【発明の概要】
【発明が解決しようとする課題】
【００１２】
本発明は、上記課題を解決するためになされたものであって、恒温水槽内でスノコ上に容器が載置されている場合であっても、磁性攪拌子を前記容器内において回転できるようにするマグネチックスターラー用のスノコを提供することにある。
【００１３】
また、スノコの脚部の位置を移動可能なものにすることによって、恒温水槽のヒーターの位置が異なっても使用可能なマグネチックスターラー用のスノコを提供することにある。
【００１４】
さらに、容器内の試料及び恒温水槽内の水または温水を同時に効率よく攪拌することにより、試料の温度の均一化を短時間で可能にするマグネチックスターラー用スノコを提供することにある。
【課題を解決するための手段】
【００１５】
上記目的を達成するため、本発明に係るマグネチックスターラー用スノコの第１の特徴は、マグネチックスターラーの恒温水槽内に設置される、複数の孔が穿設された天板と、当該天板の裏面から下方に延出する複数の脚部とから構成されるマグネチックスターラー用スノコであって、当該天板上に試料及び磁性攪拌子を入れた容器を載置して利用するマグネチックスターラー用スノコにおいて、前記天板の裏面中央部には、下方に延出する固定の軸と、当該軸上に軸着された軸受を内嵌して回転可能に取り付けられた円筒体とを備え、当該円筒体の上端及び下端には、板状の基台が前記固定軸に貫通してそれぞれ固着され、前記上端の基台の上面及び前記下端の基台の下面には、当該各基台左右の端部に磁石がそれぞれ設置されていて、前記恒温水槽内において前記各基台が前記各磁石とともに前記固定軸の軸線周りに回転可能に構成されており、前記各磁石が回転することにより前記容器内の磁性攪拌子が回転して試料を攪拌すると同時に、前記各基台が回転することにより恒温水槽内の水又は温水を攪拌可能としたことにある。
【００１６】
また、本発明に係るマグネチックスターラー用スノコの第２の特徴は、前記第１の特徴における前記各磁石が円形であることにある。
【００１７】
さらに、本発明に係るマグネチックスターラー用スノコの第３の特徴は、前記第１又は第２の特徴における前記各磁石がサマリウムコバルト磁石であることにある。
【００１８】
さらにまた、本発明に係るマグネチックスターラー用スノコの第４の特徴は、前記第１から第３のいずれか１の特徴における前記各軸受がオイルレスベアリングであることにある。
【００１９】
また、本発明に係るマグネチックスターラー用スノコの第５の特徴は、前記第１から第４のいずれか１の特徴における前記天板に、中心方向から円周方向に向かって等間隔に前記脚部と同数の切り欠きが形成されていて、螺子を当該切り欠き上方から挿通し前記脚部の頭部に螺着することにより前記脚部を前記天板の任意の位置に固定可能にしたことにある。
【００２０】
さらに、本発明に係るマグネチックスターラー用スノコの第６の特徴は、前記第１から第５のいずれか１の特徴における前記上端の基台は、両端部が突出して下方に向かって屈曲する羽根を形成し、前記下端の基台は両端部が突出して上方に向かって屈曲する羽根を形成していることにある。
【００２１】
さらにまた、本発明に係るマグネチックスターラー用スノコの第７の特徴は、前記第６の特徴における前記各羽根が前記各基台の長手方向軸線に対して直交する方向に突出していることにある。
【００２２】
また、本発明に係るマグネチックスターラー用スノコの第８の特徴は、前記第６又は７の特徴における前記各羽根が、互い違いに逆方向に突出していることにある。
【００２３】
さらに、本発明に係るマグネチックスターラー用スノコの第９の特徴は、前記第６から第８までのいずれか１の特徴における前記下端の基台が、前記上端の基台よりも長手方向長さが長く、前記下端の基台に形成された羽根が前記上端の基台に形成された羽根よりも長手方向外側に配設されていることにある。
【００２４】
さらにまた、本発明に係るマグネチックスターラー用スノコの第１０の特徴は、前記第１から第９までのいずれか１の特徴における前記上端の基台に設置された磁石が、それぞれ２個ずつ重ねて設けられていることにある。
【発明の効果】
【００２５】
本発明によれば、マグネチックステーラー本体以外の装置を必要とすることなく、容器内の試料の攪拌が可能となるため、装置全体を小型化・軽量化することができ、移動も容易となるとともに、安価なコストで製造することが可能となる。
【００２６】
また、恒温水槽のヒーターの位置に合わせてスノコの脚部の位置を調整できるので、一つのスノコで異なるメーカーのマグネチックスターラーに対応することが可能となり、余分なコストや保管場所等を削減することができる。
【００２７】
さらにまた、基台に設けた羽根により、恒温水槽内の水または温水の攪拌が十分に行われるとともに、容器内の試料と恒温水槽内の水または温水双方の攪拌を同時に行うことにより、試料の温度の均一化をより一層効率的なものとすることが可能となる。
【図面の簡単な説明】
【００２８】
【図１】本願発明に係るマグネチックスターラー用スノコの第１の実施例における平面図である。
【図２】図１のＡ−Ａ線の正面断面図である。
【図３】本願発明に係るマグネチックスターラー用スノコの正面図である。
【図４】上記スノコを利用している状態を示すマグネチックステーラーの断面図である。
【図５】従来のスノコを利用している状態を示すマグネチックステーラーの断面図である。
【図６】本願発明に係るマグネチックスターラー用スノコの第２の実施例における平面図である。
【図７】第２の実施例におけるマグネチックスターラー用スノコの正面図である。
【図８】第２の実施例におけるマグネチックスターラー用スノコの右側面図である。
【発明を実施するための最良の形態】
【００２９】
以下、本発明の実施形態につき、図面を参照して詳細に説明する。
【実施例１】
【００３０】
図１から４は本発明の第１の実施例を示したもので、このうち図１から３は第１の実施例のマグネチックスターラー用スノコの全体概略図である。
【００３１】
図中１は、ステンレスで形成されたマグネチックスターラー用スノコで、天板２、脚部３及び回転磁石部４とから大略構成されている。
【００３２】
天板２は、円形のプレートで、水の中へ沈めやすくするため、円形の孔５が複数穿設されている。また、天板２の裏面四隅には、複数の円柱状の脚部３が螺子６を介して接続されている。図示の例では、４つの脚部３が設けられている。
【００３３】
また、天板２の裏面中央部には、回転磁石部４が回転可能に取り付けられている。当該回転磁石部４は、磁石７及び８を備え、それらを回転させるための部材である。
【００３４】
回転磁石部４は、天板裏面中央部に螺子９を介して固定される固定軸１０と、当該固定軸１０に軸着された一対の軸受１１と、当該軸受１１が内嵌され、かつ前記固定軸１０が遊挿される円筒体１２と、当該円筒体１２の上端及び下端に固着された板状の基台１３及び１４と、当該基台１３及び１４に固着された磁石７及び８から構成されている。
【００３５】
固定軸１０は脚部３より短く、天板２の裏面中央部に下方に向かって固着されている。なお、回転磁石部４の長手方向の長さも脚部３より短く、スノコ１の下方内部に納まるように形成されている。
【００３６】
固定軸１０の上方及び下方には、軸受１１がそれぞれ軸着されている。軸受１１は、それらが内嵌される円筒体１２を回転させるためのものであり、フランジ１７と筒体１８とから構成されている。筒体１８にはベアリングが内装されている。
【００３７】
基台１３及び１４の中央部には、孔がそれぞれ穿設されており、軸受１１の筒体１８が基台１３の上及び基台１４の下から前記孔に嵌挿され、フランジ１７が基台１３の上及び基台１４の下で係止されている。なお、軸受１１にはオイルレスベアリングが好適である。
【００３８】
円筒体１２の上端に固着された基台１３の上面には、その両端に磁石７が固着されている。また、円筒体１２の下端に固着された基台１４の下面には、その両端に磁石８が固着されている。
【００３９】
磁石７、８は、中央部に円孔が穿設された円形で、ビス１５、１６を介して基台１３、１４にそれぞれ固着されている。磁石７、８は、一方をＮ極、他方をＳ極となるよう配設する。また、磁石７、８は、磁力が強力なものが望ましく、例えばサマリウムコバルト磁石が好適である。なお、図示の例では、磁石７はそれぞれ二重に重ねてあるが、磁力や高さが調整できればその数や形状等は問わない。
【００４０】
固定軸１０の上端及び下端は、円筒体１２から突出しているとともに、基台１３及び１４を貫通している。
【００４１】
次に、図４を用いてスノコ１の動作について説明する。図４において、スノコ１は、マグネチックスターラー２０の恒温水槽２１内に設置されており、恒温水槽２１内にはヒーター２２により適度な温度に調整された水又は温水が貯留されている。
【００４２】
スノコ１の天板２上には、試料２６の入った容器２７が載置されており、容器２７の底部には磁性攪拌子２８が配置されている。磁性攪拌子２８のＮ極は磁石７のＳ極と対向しており、磁性攪拌子２８のＳ極は磁石７のＮ極と対向している。
【００４３】
恒温水槽底部２３の下には、モーター２４が設置されており、モーター２４の駆動軸の先端には一対の駆動用磁石２５が取り付けられている。駆動用磁石２５のＮ極は、磁石８のＳ極に対向しており、駆動用磁石２５のＳ極は、磁石８のＮ極に対向している。
【００４４】
モーター２４により駆動用磁石２５が回転すると、磁石８の周囲に回転磁界が形成され、回転磁石部４が回転する。それにより磁石７が回転し、磁性攪拌子２８の周囲に回転磁界が形成される。磁性攪拌子２８は磁界の回転方向に回転し、これにより容器２７内の試料２６の攪拌が行われ、容器内の温度の短時間での均一化が可能となる。
【実施例２】
【００４５】
次に、図６から図８は、本発明の第２の実施例を示したものである。
第２の実施例は、第１の実施例のうち、恒温水槽２１のヒーター２２の位置に合わせて脚部３を移動できるようにし、また、回転磁石部４に羽根４２、４３、４４、４５を設けて恒温水槽２１内の水または温水を攪拌しやすくするものである。
【００４６】
すなわち、天板２には中心方向から円周方向に向かって等間隔に脚部３と同数である４箇所の切り欠き４１が形成されている。切り欠き４１の幅は、螺子６の螺子部分が貫通し、かつ螺子６の頭部より小さく形成されている。従って、脚部３を切り欠き４１に沿って適切な位置に配置した後、天板２の上方より螺子６を脚部３の頭部螺合部に螺着することにより、脚部３は天板２に固定される。これにより、ヒーター２２の位置が異なる様々な恒温水槽２１を有するマグネチックスターラーにスノコ１を使用することが可能となる。
【００４７】
また、羽根４２、４３は、基台１３の両端部がそれぞれ逆方向へ互い違いに長手方向軸線に対して直交する方向に突出し、下方へ向かって屈曲したものである。図示の例（図６、図７）では、左側の羽根４２が基台１３から前方へ突出して下方に屈曲しており、右側の羽根４３が基台１３から後方へ突出して下方に屈曲している。
【００４８】
また、羽根４４、４５は、基台１４の両端部がそれぞれ互い違いに長手方向軸線に対して直交する方向に突出し、上方へ向かって屈曲したものである。図示の例（図６、図７）では、左側の羽根４４が基台１４から後方へ突出して上方に屈曲しており、右側の羽根４５が基台１４から前方へ突出して上方に屈曲している。
【００４９】
図示の例では、基台１４は基台１３より長手方向の長さが長く、横長に形成されていて、羽根４４、４５は、羽根４２、４３より長手方向外側に配設されるようになっている。
【００５０】
上記のような構成により、回転磁石部４が回転すると、羽根４２、４３、４４、４５により恒温水槽２１内の水または温水が広範囲に旋回し、攪拌がよく行き渡る。これにより、恒温水槽２１内の水または温水の均一化を短時間に行うことができる。
【００５１】
また、容器２７内の試料２６と恒温水槽２１内の水または温水双方の攪拌を同時に行うことができるため、容器２７の内外で温度の均一化が短時間で図られ、試料の温度の均一化をより一層効率的にすることが可能となる。
【００５２】
以上、本発明の実施例につき図面を参照して詳細に説明したが、本発明はこれに限定されず、特許請求の範囲に記載した構成の範囲内において様々な態様で実施することができる。
【産業上の利用可能性】
【００５３】
本実施例においては、恒温水槽が一体化したマグネチックスターラーで利用する場合について説明したが、本発明はこれに限らず、水槽が別体となっているマグネチックスターラーにも利用が可能である。
【符号の説明】
【００５４】
１          マグネチックスターラー用スノコ
２          天板
４          回転部
７、８      磁石
１０          固定軸
１１          軸受
１２          円筒体
１３、１４    基台
２０          マグネチックスターラー
２１          恒温水槽
２５          回転磁石
２８          磁性攪拌子
４１          切り欠き
４２、４３、４４、４５    羽根